(57)【要約】【課題】  自ら作動音を発生することなく、自然の風によらずに音を鳴らすことができ、また一般家庭において手軽に設置することができる風鈴を提供する。【解決手段】  送風部１２を有する送風器具１１に取り付け可能な風鈴であって、屈曲自在な腕部１と、該腕部１の一端に設けられ前記送風器具１１に固定可能な取付部２と、前記腕部１の他端に設けられる鈴部３と、からなり、前記腕部１が、前記鈴部３を前記送風部１２の正面に位置させることができる。送風器具１１からの送風により、鈴部３が揺動し、音を発生する。【選択図】      図１
2009109571.tif 000002
【特許請求の範囲】
【請求項１】
送風部（１２）を有する送風器具（１１）に取り付け可能な風鈴であって、
屈曲自在な腕部（１）と、該腕部（１）の一端に設けられ前記送風器具（１１）に固定可能な取付部（２）と、前記腕部（１）の他端に設けられる鈴部（３）と、からなり、
前記腕部（１）が、前記鈴部（３）を前記送風部（１２）の正面に位置させることができることを特徴とする風鈴。
【請求項２】
請求項１記載の風鈴を、その鈴部（３）が送風部（１２）の正面に位置するように取り付けたことを特徴とする冷房装置。
【発明の詳細な説明】
【技術分野】
【０００１】
本発明は、自然の風によらず、音を鳴らすことができる風鈴に関する。
【背景技術】
【０００２】
風鈴は、一般に家屋の軒下などに吊り下げられ、風を受けて揺動することで音が鳴るような仕組みになっている鈴であり、その音は多くの日本人にとって涼しさを感じさせるもので、夏の風物詩の一つとなっている。しかし、自然の風を利用するものであるため、設置場所の環境によってはほとんど音が鳴らないということもありえた。そこで、文献１において、モータ駆動により風鈴を揺動させる発明が提案されている。
【特許文献１】特開平９−２８１９７１号公報
【０００３】
しかしながら、文献１の発明は、モータの作動音が風鈴の音色の妨げになるという問題があった。また、マンションなどにおいては軒がなく、風鈴を設置できる場所がないという問題もある。
【発明の開示】
【発明が解決しようとする課題】
【０００４】
本発明は、上記事情を鑑みたものであり、自ら作動音を発生することなく、自然の風によらずに音を鳴らすことができ、また一般家庭において手軽に設置することができる風鈴を提供することを目的とする。
【課題を解決するための手段】
【０００５】
請求項１の発明は、送風部を有する送風器具に取り付け可能な風鈴であって、屈曲自在な腕部と、該腕部の一端に設けられ前記送風器具に固定可能な取付部と、前記腕部の他端に設けられる鈴部と、からなり、前記腕部が、前記鈴部を前記送風部の正面に位置させることができることを特徴とする。
【０００６】
ここで、送風器具とは、エアコン、クーラーや扇風機といった、風を発生する機能を有する器具のことをいう。送風部とは、エアコンやクーラーであれば、送風口のことであり、扇風機であれば、回転する羽根のことである。本発明の風鈴は、取付部によってこれらの送風器具に取り付けられるものであり、その方法はどのようなものであってもよい。たとえば、取付部にクリップを備え、送風器具の所定の箇所を挟み込んで固定したり、取付部を棒状あるいは板状の形状として、送風器具のスリットやその他の凹部に差し込んで固定したりしてもよい。また、取り付け箇所が磁性体であれば、取付部に磁石を備えて磁力により固定してもよく、さらには、両面テープや接着剤によって固定してもよい。そして、取付部には腕部の一端（こちら側を基端とし、反対側を先端とする）が取り付けられている。腕部は、その全体を自由に変形させられるものであってもよいし、剛な部分と自在に動かせる関節とを有するものであってもよく、その長さの範囲内で、先端の位置を自由に設定できる。そして、その先端に取り付けられる鈴部の重量を支えその形状を維持できるものである。鈴部は、一般的な風鈴からなるものであり、たとえば、振動して音を発生する発音部と、発音部を打撃して振動させる打撃部と、風を受けて打撃部を揺動させる風受け部と、からなる。発音部は、最も一般的な椀型のもののほか、棒状や筒状のものであってもよい。また、打撃部は、略球形のものや、棒状のものなどがあり、下方に開口した椀型の発音部の内側に吊り下げられたり、発音部と並列して吊り下げられたりする。さらに、風受け部は、風を受けて揺動しやすいように、平板状のものが望ましく、打撃部に吊り下げられる。なお、いわゆるウィンドチャイムのように、棒状あるいは筒状の発音部を複数備え、発音部同士が衝突することで音を発生するものであってもよい。
【０００７】
請求項２の発明は、請求項１記載の風鈴を、その鈴部が送風部の正面に位置するように取り付けたことを特徴とする冷房装置である。
【０００８】
ここで、冷房装置とは、送風器具の中でも、エアコン、クーラーや扇風機などのように、室温を下げたり、体に直接風を当てたりして、涼感を得るためのものである。
【発明の効果】
【０００９】
請求項１の発明によれば、自然の風がなくても、屋内において、エアコンなどの送風器具の風によって風鈴を鳴らし、その音色を楽しむことができる。この際、本発明自身は駆動機構を有しないので、風鈴の音色の妨げとなるような作動音などが発生しない。また、風鈴が鳴ることで清涼感が得られ、体感温度が下がることが期待できる。このことから、エアコンなどの過剰な使用を抑え、エネルギー消費量を低減する効果がある。さらに、取付部を備えることにより、容易に本発明を送風器具に固定することができ、また腕部が屈曲自在なので、風の当たる箇所を変えて、心地のよい鳴り具合の位置に設定できる。また、昨今のエアコンなどの送風機能は高度化され、音が静かであるために、動作しているのかどうかわからないものが多い。本発明の風鈴により、動作の有無や送風の強弱が容易に確認できるので、送風器具の消し忘れを防止したり、目の不自由な人に送風状態であることを知らせたりする効果もある。さらに、どの程度の頻度で作動しているのかを判別することが可能であり、無意識に消費する冷房、送風などのエネルギー消費に警鐘を鳴らす目的でも利用可能である。
【００１０】
請求項２の発明によれば、風鈴が鳴ることで清涼感が得られ、体感温度が下がることが期待できることから、風鈴を取り付けない冷房装置と比較して、設定温度を高くしたり、作動時間を短くしたりすることができる。その結果、冷房装置の過剰な使用を抑え、エネルギー消費量を低減する効果がある。
【発明を実施するための最良の形態】
【００１１】
本発明の風鈴の具体的な構成について、各図面に基づいて説明する。図１は、本発明の風鈴の正面図である。腕部１の基端に、取付部２が設けられ、先端には鈴部３が設けられる構成である。腕部１は、屈曲自在でかつ鈴部３の重量を支えることができるもので、最も簡易なものとしては、針金が用いられる。この針金をゴムなどで被覆してもよい。また、その他の構造として、蛇腹状の構造としてもよいし、剛な部分と自在に動かせる関節とを有する構造としてもよい。取付部２は、クリップになっており、図示しないバネ部材によって先端が閉じるものである。さらに、鈴部３は、発音部４、打撃部５および風受け部６からなる。発音部４は、下方に開口した椀型で、腕部１の先端から紐などで吊り下げられる。あるいは、腕部１の先端に直接固定されていてもよい。発音部４の形状は、椀型のほか、棒状のものや、筒状のものなど、どのようなものであってもよい。また、発音部４の素材は、銅や錫などの金属や、ガラスなど、その音色や外観を考慮して自由に選ぶことができる。打撃部５は、発音部４の内部から紐などで吊り下げられ、発音部４と衝突することで発音部４を振動させ、音を鳴らす。打撃部５の形状は、棒状のものや球形のものなど、どのようなものであってもよい。また、打撃部５の素材は、発音部４と同じであっても異なっていてもよい。風受け部６は、打撃部５から紐などで吊り下げられる。風を受けて揺動しやすいよう、平板状であり、紙やプラスチックなどからなる。
【００１２】
図２は本発明の風鈴の使用状態を示す説明図である。ここでは、送風器具１１として、送風部１２およびスリット１３を備えるエアコンを想定する。風鈴を送風器具１１に取り付けるには、スリット１３に取付部２のクリップを挟み込む。そして、腕部１の形状を調節することにより、鈴部３を送風部１２の正面に位置させる。とくに、送風部１２からの送風が風受け部６に当たるようにすることが望ましい。このように風鈴を設置すれば、送風によって風受け部６が揺動し、打撃部５が発音部４に衝突して、音を発生する。なお、取付部２は、クリップ形状以外にも、棒状や板状にしてスリット１３に差し込んでもよい。また、送風器具１１がスリット１３を有しない場合には、両面テープや接着剤で固定してもよいし、取り付け箇所が磁性体であれば、取付部２に磁石を設けて磁力により固定してもよい。
【００１３】
本発明の風鈴は、上記の実施形態に限定されない。腕部は、その長さの範囲内で先端の位置を自由に設定することができ、かつ鈴部の重量を支えることができるものであれば、どのようなものであってもよい。また、本発明の風鈴を取り付ける箇所は、上記例のエアコンに限られず、たとえば扇風機などでもよく、取り付ける対象に応じて取付部の形状も適切なものを選ぶことができる。さらに、鈴部は、一般に風によって揺動して音が鳴るものであればどのようなものであってもよい。
【図面の簡単な説明】
【００１４】
【図１】本発明の風鈴の正面図。
【図２】風鈴の使用状態を示す説明図。
【符号の説明】
【００１５】
１  腕部
２  取付部
３  鈴部
１１  送風器具
１２  送風部
【図１】
2009109571.tif 000003
【図２】
2009109571.tif 000004